(57)【要約】      （修正有）【課題】塗香の振り出しに労力を余り必要とせず、しかもが簡単で、一定量を確実に振り出すことができる構造の筒型塗香器を提供する。【解決手段】有底筒状容器１の底部と反対側である一端部に塗香を装填するための開口部が形成され、その開口部を閉塞する蓋体２が着脱自在に設けられている。また、筒状容器１の一端部側の側壁には、内部に収納された塗香を振り出すための振出孔が形成され、その振出孔には、栓部材４が着脱自在に設けられている。さらに、筒状容器１の底部側の把持部５の外周には、滑り止め部材６が設けられている。また、筒状容器１の底部外面には、振出孔の端部を閉塞する栓部材４を外したときに、栓部材４を保持する栓部材取付け部８が設けられている。【選択図】図１
0003170923.tif 000002
【実用新案登録請求の範囲】
【請求項１】
塗香を収納するための有底の筒状容器と、該筒状容器の底部と反対側である一端部に着脱自在に設けられる蓋体と、前記筒状容器の前記一端部側の側壁に形成され、前記筒状容器の内部に装填された塗香を振り出す振出孔と、該振出孔に着脱自在に設けられる栓部材と、前記筒状容器の底部側の把持部外周に設けられる滑り止め部材と、前記筒状容器の底部外面に、前記振出孔の端部を閉塞する栓部材を外したときに、該栓部材を固定する栓部材取付け部とを具備する筒型塗香器。
【請求項２】
前記滑り止め部材が、前記筒状容器の外周部に布製紐部材を巻き付ける構造に形成されてなる請求項１記載の筒型塗香器。
【請求項３】
前記栓部材取付け部が、前記筒状容器の底面外壁に設けられた球状体の前記筒状容器と反対側端部に形成されたネジ孔からなり、該球状体に前記筒状容器の径方向に延びる貫通孔が形成され、該貫通孔にリング状部材を介して房が取り付けられてなる請求項１または２記載の筒型塗香器。
【請求項４】
前記筒状容器の長さが１０ｃｍ〜２５ｃｍで、外径が２ｃｍ〜３.５ｃｍである請求項１〜３のいずれか１項に記載の筒型塗香器。
【請求項５】
前記筒状容器および前記蓋体は、真鍮からなり、少なくとも外面には金メッキが施されてなる請求項１〜４のいずれか１項に記載の筒型塗香器。
【考案の詳細な説明】
【技術分野】
【０００１】
本考案は、お寺などでお参りをする参拝者に、その参拝者の身や心を清めるために、お寺のご住職が粉体状または粒体状の塗香を参拝者に振り掛けるための筒型塗香器に関する。さらに詳しくは、大勢の参拝者に連続的に塗香を振り掛ける場合でも、常に適量の塗香を楽に振り掛けることができる構造の筒型塗香器に関する。
【背景技術】
【０００２】
お寺などで、厳粛な儀式を行う場合に、まず参拝者に塗香を振り掛け、参拝者はその塗香を手などに塗り込んで参拝者の身や心を清めることが行われ、お寺のご住職は参拝者の手の平に次々と塗香を振り掛けることが行われる。このような塗香を少量ずつ振り掛けるための塗香器としては、たとえば図４に斜視図が示されるような構造のものが知られている。この塗香器は、外形が円形で、最中の皮のような形状をした本体５１の上面に開口部が設けられ、その開口部を閉塞する蓋体５２がネジなどにより着脱自在に取り付けられ、蓋体５２を取り外して本体５１の内部に塗香を装填して、蓋体５２を取り付ける構造になっている。また、本体５１の側面には、内部の塗香を振り出すための振出孔５３が設けられ、非使用時には、その振出孔５３を閉塞する栓５４が設けられ、その栓５４は、紐５５で本体５１と連結することにより、使用時に紛失しないように構成されている。しかしこのような栓５４は、振出孔５３に差し込まれているだけなので、不本意に抜けてしまい塗香が漏れ出す場合がある。
【０００３】
一方、このような塗香の漏れ出しをなくする塗香器として、図５に断面図が示されるような筒型塗香器も知られている。この塗香器は、断面が楕円形の外側有底筒状容器６１の底にバネ６２を設け、その内面を摺動できるような内側有底筒状容器６３を挿入した二重構造になっており、この内側有底筒状容器６３の内部に塗香６６を装填する構造になっている（たとえば、特許文献１参照）。この塗香器は、外側有底筒状容器６１および内側有底筒状容器６３のそれぞれに振出孔６４、６５が設けられ、内側有底筒状容器６３をバネ６２の付勢力に抗して押え付けることにより、２つの振出孔６４と６５の位置が一致したときにのみ、塗香を振り出すことができる構造で、内側有底筒状容器６３を押し込まない限り、内部の塗香６６が漏れ出すことはない。
【先行技術文献】
【特許文献】
【０００４】
【特許文献１】実用新案登録第３１３９２４３号公報
【考案の概要】
【考案が解決しようとする課題】
【０００５】
前述の図４または図５に示される塗香器は、いずれも塗香を振り出すために塗香器全体を振る必要がある。とくに、塗香は、食品のふりかけなどとは異なり、しっとりとした吸着性があるため、ある程度強い力で振り出さないと出難く、また、振出孔６４、６５の孔径を大きくすると、出すぎて高価な塗香を無駄にするという問題がある。とくに、図５に示される構造のものは、バネ６２の付勢力に抗して内側有底筒状容器６３を押し込んで振出孔６４と６５を一致させながら振り出さなければならないため、相当な労力を必要とし、均一な塗香の振り出しを行うのが困難であるという問題がある。
【０００６】
さらに、この種の塗香器は、厳粛な儀式で用いられるものであるため、威厳のある構造であることが好ましいが、従来の塗香器では、塗香器全体を振って振り出す構造で、また、房を取り付ける構造でもなく、威厳性という点でも見劣りがするという問題がある。
【０００７】
本考案は、このような問題を解決するためになされたもので、塗香の振り出しに労力を余り必要とせず、しかもが簡単で、一定量を確実に振り出すことができる構造の塗香器を提供することを目的とする。
【課題を解決するための手段】
【０００８】
本考案の筒型塗香器は、塗香を収納するための有底の筒状容器と、該筒状容器の底部と反対側である一端部に着脱自在に設けられる蓋体と、前記筒状容器の前記一端部側の側壁に形成され、前記筒状容器の内部に装填された塗香を振り出す振出孔と、該振出孔に着脱自在に設けられる栓部材と、前記筒状容器の底部側の把持部外周に設けられる滑り止め部材と、前記筒状容器の底部外面に、前記振出孔の端部を閉塞する栓部材を外したときに、該栓部材を保持する栓部材取付け部とを具備している。
【０００９】
前記滑り止め部材が、前記筒状容器の外周部に布製紐部材を巻き付ける構造に形成されていることにより、簡単に製造できながら、滑り止めの効果をより一層高めることができるため好ましい。
【００１０】
前記栓部材取付け部が、前記筒状容器の底面外壁に設けられた球状体の前記筒状容器と反対側端部に形成されたネジ孔からなり、該球状体に前記筒状容器の径方向に延びる貫通孔が形成され、該貫通孔にリング状部材を介して房が取り付けられていることにより、美観的にも優れた構造にすることができると共に、振出孔を閉塞する栓部材をネジ止めの構造に形成しておくことにより、球状体に設けるネジを同じネジ孔で形成することにより、簡単に栓部材を保持することができ、紛失する恐れがなくなる。さらに、房が取り付けられることにより、塗香器の威厳性も高まり、美的感覚も高まる。
【００１１】
前記筒状容器の長さは、たとえば１０ｃｍ〜２５ｃｍで、外径が２ｃｍ〜３.５ｃｍの大きさに形成される。
【００１２】
前記筒状容器および前記蓋体は、真鍮からなり、少なくとも外面には金メッキが施されていることにより、ある程度の重さがあるため、筒状容器の底面側を支点として、一端部側を円弧運動させるだけで、簡単に定量の塗香を振り出すことができると共に、外観は金色でより一層威厳性を高めることができる。
【考案の効果】
【００１３】
本考案の筒型塗香器によれば、細くて長い筒状の構造に形成され、しかも底部と反対側の一端部側の側壁に塗香の振出孔が形成されており、底部側の側壁外面には、滑り止め部が形成されているため、ご住職は、その滑り止め部を握って、筒状容器の底部側を支点として、一端部側を円弧運動させるだけで、一定量の塗香を参拝者の手の平などに振り掛けることができる。しかも、簡単な動作で塗香を振り掛けることができるため、参拝者が連続的に訪れても、疲労感なく塗香を振り掛けることができる。
【００１４】
また、本考案によれば、筒状容器の底部に栓部材取付け部が形成されているため、塗香を振り出す際に、振出孔の先端を閉塞する栓部材は筒状容器の底部に取り付けておくことができ、栓部材を紛失する恐れも生じない。
【００１５】
さらに、把持部に設ける滑り止め部材を、布製の紐を巻きつけた構造にすることにより、把持部の表面に凹凸を有する滑り止め部材を簡単に形成することができる。また、房が設けられたり、全体に金メッキが施されたりすることにより参拝者にも威厳性を高めることができる。
【図面の簡単な説明】
【００１６】
【図１】本考案の筒型塗香器の一実施形態を示す斜視説明図である。
【図２】図１の筒型塗香器の断面説明図である。
【図３】図１の筒型塗香器の使用状態を示す断面説明図である。
【図４】従来の塗香器の一例の構造を示す斜視説明図である。
【図５】従来の筒型塗香容器の一例の構造を示す断面説明図である。
【考案を実施するための形態】
【００１７】
つぎに、添付図面を参照しながら、本考案の筒型塗香器を詳細に説明する。本考案による筒型塗香器は、図１に斜視説明図、図２に使用しない状態の断面説明図、図３に使用時の断面説明図がそれぞれ示されているように、有底筒状容器１の底部と反対側である一端部に塗香１２を装填するための開口部が形成され、その開口部を閉塞する蓋体２が着脱自在に設けられている。また、筒状容器１の一端部側の側壁には、内部に収納された塗香１２を振り出すための振出孔３（図３参照）が形成され、その振出孔３には、栓部材４が着脱自在に設けられている。さらに、筒状容器１の底部側の把持部５の外周には、滑り止め部材６が設けられている。また、筒状容器１の底部外面には、振出孔３を閉塞する栓部材４を外したときに、栓部材４を保持する栓部材取付け部８が具備されている。
【００１８】
栓部材取付け部８は、筒状容器１の底面外壁に設けられた球状体７の筒状容器１と反対側端部に、たとえばネジ孔が形成されることにより、振出孔３を閉塞するために栓部材４に形成されたネジ部をそのまま螺合させることにより、栓部材４を保持する構造に形成される。また、球状体７には、筒状容器１の径方向に延びる貫通孔９が形成され、その貫通孔９にリング状部材１０を介して房１１が取り付けられている。このような構成にすることにより、美観的にも優れ、厳かな塗香器とすることができる。
【００１９】
筒状容器１は、たとえば真鍮などの金属材料により、一端部が開口された有底の円筒状の筒体に形成され、その表面、少なくとも外面には、金メッキが施されている。この外径Ｄはφ２ｃｍ〜３.５ｃｍ程度、好ましくはφ２.５ｃｍ〜３.２ｃｍ、たとえばφ２.８ｃｍ程度に、また、その長さＬは、１０ｃｍ〜２５ｃｍ、好ましくは１５ｃｍ〜２３ｃｍ、たとえば１８ｃｍ程度で、肉厚は４〜８ｍｍ程度に形成される。余り太いと重くなるだけで振り出しの労力を必要とし、細すぎると内部に装填する塗香の量を充分に確保することができないからである。また、余り長すぎると、却って扱い難くなり、均一な量の振り出しを行い難くなり、短すぎると、てこの作用を利用した振り出しを充分に行うことができないからである。前述のノミナル寸法で形成した場合に、約２０ｇの塗香を装填することができる。
【００２０】
この筒状容器１は、前述の真鍮に限定されるものではなく、他の金属で製造することができ、優れた密閉性や耐久性を得ることができる。また、金属ではなく、木材で形成することもでき、とくに、白檀、伽羅、沈香、羅国などの香木を用いて形成することもできる。金属製の場合には、前述のように金メッキを施すことにより、高級感を出すことができる。
【００２１】
蓋体２は、筒状容器１と同様の材料で、少なくともその外面には金メッキが施されることが好ましく、筒状容器１の内部に塗香１２を装填した後に筒状容器１の開口部を閉塞するもので、たとえば、筒状容器１の開口部の内面に雌ネジをきり、蓋体２の接合部の外面に雄ネジを形成しておくことにより、塗香１２（図２参照）を装填した後に、ねじ込むだけで、簡単に蓋体２を嵌着することができる。
【００２２】
振出孔３は、筒状容器１の側壁で、底部と反対側の一端部側に形成されている。底部側の把持部５を把持して底部側を支店にするよう振るため、できるだけ一端部の端の方が内部の塗香１２を振り出すのに都合がよいが、とくにその位置には限定されない。この振出孔３の大きさは、たとえば直径が３ｍｍ程度の大きさに形成される。余り大き過ぎると、塗香が出過ぎて無駄になるし、小さ過ぎると塗香１２自身の吸着性により充分に振り出すことができなくなるからである。この振出孔３の内面には、雌ネジが切られ、使用しないときは、外周に雄ネジが切られた栓部材４を螺着することにより、内部の塗香１２が漏れないようにされている。
【００２３】
この栓部材４は、実際に参拝者に塗香１２を振り掛けるときには、外す必要があるが、参拝者が何人も連続して訪れる場合、外した栓部材４をなくする恐れがある。そこで本考案では、そのように連続して使用する場合でも栓部材４をなくさないように、筒状容器１の底部に設けた栓部材取付け部８が形成されている。すなわち、この栓部材取付け部８は、筒状容器１の底面外壁に球状体７が設けられ、その球状体７の筒状容器１と反対側端部ネジ孔が形成されることにより、構成されている。このネジ孔は、前述の振出孔３の内面に形成された雌ネジと同じ雌ネジで形成され、栓部材４はどちらにも螺合できる構成になっている。そのため、塗香器を使用しないときは、振出孔３に栓部材４を螺合させ、参拝客に塗香１２を振り掛けて使用するときは、栓部材４を栓部材取付け部８に螺合させることにより、栓部材４をなくすることなく、保持することができる。
【００２４】
この栓部材４には、図２に断面説明図が示されるように、摘み部４ａと、雄ネジ部４ｂと、ストッパ部４ｃとが形成されている。振出孔３には栓部材４の雄ネジ部４ｂと螺合する雌ネジ部が形成されているため、栓部材４を振出孔３に螺合し固定することができる。この雄ネジ部４ｂの終端部にはストッパ部４ｃが形成されているため、充分ねじ込んだら自然に止まる構造になっている。この栓部材４の摘み部４ａは、手で摘んで栓部材４を回しやすい大きさであればよく、直径がφ１ｃｍ〜１.５ｃｍ程度あればよい。手の滑りを確実に防止し、栓部材４の回転を容易にする観点から、摘み部４ａの側面には複数の凹凸が形成されていることが好ましい。
【００２５】
筒状容器１の底部側は、その長さの約半分程度が把持部５として、手で保持する部分になっている。そのため、手で保持しても、滑り難くする滑り止め部６が形成されている。図１〜３に示される例では、この滑り止め部６は、布製の紐が巻き付けられた構造に形成されている。すなわち、紐が巻き付けられた構造にすることにより、表面に凹凸が形成され、より一層滑り止めの効果があると共に、金属筒である筒状容器１の外周に簡単に取り付けることができるというメリットがある。また、この滑り止め部６は、ゴム材料などでも良いが、布製でも充分に滑り止めの効果を得ることができ、布製であれば安価に形成することができる点でメリットがある。この紐の巻き付け構造は、密巻きでも、粗巻きでもどちらでも構わない。また、紐の巻き付け構造でなくても、シート状のゴム部材や布部材を所定の幅で巻き付けて貼り付ける構造でも構わない。
【００２６】
筒状容器１の底部の外面には、前述のように、球状体７が接着剤による貼り付けなどにより設けられている。この球状体７の筒状容器１と反対側の端部には、前述のように栓部材取付け部８が栓部材４を螺合する雌ネジにより形成されている。その栓部材取付け部８の他にも、この球状体７には、筒状容器１の径方向と平行方向に貫通孔９が形成され、その貫通孔９にリング状部材１０が房１１を挿入した状態で結合されている。
【００２７】
本考案によれば、細長い筒状容器内に塗香を装填しておいて、筒状容器の一端部側に塗香を振り出す振出孔が設けられ、筒状容器の他端部側に把持部が設けられ、その把持部を握って一端部側を円弧運動させるだけで、簡単に塗香器内の塗香を参拝客の手の平などに振り出すことができる。そのため、参拝客の手の上で塗香器を大きく振って塗香を振り掛ける必要がなく、非常に上品で、かつ、一定量を確実に振り掛けることができる。
【００２８】
また、筒状容器は円筒状で外形は丸いが、側壁の１箇所に振出孔が設けられ、その先端部には栓部材が取り付けられているため、筒状容器から突出しており、机の上などに置いても栓部材の摘み部が塗香器の転がりを防止することができ、塗香器の落下などによる傷や破損を防ぐことができる。
【符号の説明】
【００２９】
１    筒状容器
２    蓋体
３    振出孔
４    栓部材
５    把持部
６    滑り止め部
７    球状体
８    栓部材取付け部
９    貫通孔
１０  リング状部材
１１  房
１２  塗香
【図１】
0003170923.tif 000003
【図２】
0003170923.tif 000004
【図３】
0003170923.tif 000005
【図４】
0003170923.tif 000006
【図５】
0003170923.tif 000007